(57)【要約】【課題】使用する際の使い勝手や見栄えがよく、かつ、食品の収納スペースを減らすことのない取り皿を備えた使い捨て食品容器を提供する【解決手段】使い捨て食品容器１は、食物を収容する容器部１１と、容器部１１の上面に覆い被さる蓋部１２とを備え、蓋部１１が切離可能な取り皿１２ａを一体的に有している。また、取り皿１２ａは蓋部１２の端部に設けており、容器部１１及び蓋部１２と取り皿１２ａとの切れ目は直線状のミシン目線１３ａ、１３ｂである。【選択図】図３
0003108620.tif 000002
【実用新案登録請求の範囲】
【請求項１】
食物を収容する容器部と、容器部の上面に覆い被さる蓋部とを備え、蓋部が切離可能な取り皿を一体的に有している使い捨て食品容器。
【請求項２】
取り皿を蓋部の端部に設けている請求項１に記載の使い捨て食品容器。
【請求項３】
取り皿と蓋部との切れ目が、直線状のミシン目線である請求項１又は請求項２に記載の使い捨て食品容器。
【考案の詳細な説明】
【技術分野】
【０００１】
この考案は、使い捨て食品容器に関し、特に、その蓋部の一部を切離して取り皿として利用できる使い捨て食品容器に関する。
【背景技術】
【０００２】
近年、単身世帯の増加や少子化の進行等により、惣菜や弁当等のいわゆる中食が盛んになってきており、これに伴って食品を収容する使い捨て食品容器についても年々その利用が増えてきている。このような使い捨て食品容器は、食品を収納する容器部と、この容器部の上部に覆い被さるよう装着される蓋部とを備えており、プラスチックを成型して製造するのが一般的である。
【０００３】
さて、使い捨て食品容器に収納されている食品の中には、から揚げのようにそのままの状態で食べるものもあるが、寿司のように調味料をかけて食べるものや、そばやうどんのようにだし汁に付けて食べるものもある。
【０００４】
そして、調味料をかけて食べる食品の場合、調味料を食品の上に直接かけて食べるか、蓋部の裏側に調味料を広げそれに付けて食べるか、別途用意した取り皿に調味料を広げそれに付けて食べるか、するのが一般的である。しかし、調味料を直接かけて食べる場合には、所望する食品以外の食品にも調味料がかかってしまうことがあり、調味料を蓋部の裏側に調味料を広げる場合には、蓋部から調味料がこぼれることがあり、取り皿を使用する場合には、使い捨て食品容器とは別に取り皿を用意しなければならことがある等、いずれの方法も欠点があった。
【０００５】
また、だし汁に付けて食べる食品の場合、容器部に設けられた凹部にだし汁を入れそれに付けて食べるか、別途用意した取り皿に調味料を広げそれに付けて食べるか、するのが一般的である。しかし、容器部に凹部を設ける場合には、その分だけ食品を収納する容積が減り、同じ量の食品を収容しようとすれば容器を大きくせねばならないとの欠点があり、取り皿を使用する場合には、使い捨て食品容器とは別に取り皿を用意しなければならないとの欠点があった。
【０００６】
そこで、このような欠点を解決するため、従来から、蓋部の裏面側に皿状の凹部を設けた使い捨て食品容器（例えば、特許文献１及び特許文献２を参照。）、容器部の隅に切離可能な取り皿を設けた使い捨て食品容器（例えば、特許文献３を参照）等のように、取り皿と一体化した使い捨て食品容器が提案されている。
【０００７】
しかし、蓋部の裏側に皿上の凹部を設けた使い捨て食品容器の場合、これを取り皿として利用するためには、蓋部全体を口元に移動せねばならないため、使い勝手が悪く、見た目も悪いとの問題点があった。また、容器部の隅に切離可能な取り皿を設けた使い捨て食品容器の場合、食品を収納するスペースが狭くなるとの問題点があった。また、収納する食品がオードブルなど、多人数で食べる食品の場合には、蓋部の裏側に皿上の凹部を設けた使い捨て食品容器を使用するならば、取り皿を共用しなければならなくなるとの問題点が生じ、容器部の隅に切離可能な取り皿を設けた使い捨て食品容器を使用するならば、取り皿が占める容積がより大きくなり、食品を収納するスペースがより狭くなるとの問題点が生じた。
【特許文献１】実開平０５−２８２２４号公報
【特許文献２】実開平０６−１９５４８号公報
【特許文献３】実登３０２７６６７号公報
【考案の開示】
【考案が解決しようとする課題】
【０００８】
そこで、この考案は、使用する際の使い勝手や見栄えがよく、かつ、食品の収納スペースを減らすことのない取り皿を備えた使い捨て食品容器を提供することを課題とする。
【課題を解決するための手段】
【０００９】
この考案にかかかる使い捨て食品容器は、食物を収容する容器部と、容器部の上面に覆い被さる蓋部とを備え、蓋部が切離可能な取り皿を一体的に有している。また、この取り皿は蓋部の端部に設けてあってもよく、蓋部と取り皿との切れ目が直線状のミシン目線であってもよい。
【考案の効果】
【００１０】
この考案の使い捨て食品容器は、蓋部の一部を切離して取り皿として利用するため、取り皿を使い捨て食品容器とは別に用意する必要がなく、使用する際の使い勝手や見栄えがよい。また、使用するまでは蓋部の一部を構成しているため、食品の収納スペースを減らすこともない。さらに、この取り皿を蓋部の端部に設けることや、ミシン目線で一体化することによって、取り皿を蓋部から容易に切離できるようになる。
【考案を実施するための最良の形態】
【００１１】
以下、この考案の一実施の形態について図面に基づいて説明するが、この考案の実用新案登録請求の範囲は以下の実施の形態により如何なる意味でも限定されるものではない。なお、以下の説明を容易にするため、図面においては食品の記載を省略した。
【００１２】
図１は、この考案にかかる使い捨て食品容器１の閉じた状態を示す外観斜視図であり、この図に示すように使い捨て食品容器１は、食品を収納する容器部１１とそれを上から覆う蓋部１２とを備えており、ポリプロピレン樹脂、ポリスチレン樹脂、ポリエチレンテレフタレート（ＰＥＴ）樹脂などのプラスチックから射出成形等により製造する。
【００１３】
図２は、使い捨て食品容器１の蓋部１２を開いた状態を示す図であり、この図に示すように容器部１１と蓋部１２とはミシン目線１３ａによって一体化している。また、容器部１１は食品を収納する収納部１１ａと、その周囲に設けられた鍔部１１ｂと、鍔部１１ｂに設けられた嵌合孔１１ｃとを有しており、蓋部１２はミシン目線１３ｂによって一体化した取り皿１２ａと、その周囲に設けられた鍔部１２ｂと、鍔部１２ｂに設けられた嵌合突起１２ｃとを備えている。
【００１４】
ここで、収納部１１ａには、肉、魚、野菜等の各種調理済食品、寿司、パスタ、そば、うどん等のご飯類や麺類など食品の種類を限定することなく収納できるが、ミシン目線１３ａ、１３ｂや容器部１１と蓋部１２の接合面から水分が漏れでる可能性があるため、水分の少ない食品が好ましい。また、嵌合孔１１ｂと嵌合突起１２ｂとを嵌合することによって、蓋部１２により容器部１１の上面を閉じることができ、嵌合孔１１ｂと嵌合突起１２ｂとの嵌合状態を解くことによって、容器部１１の上面を開放することができる。
【００１５】
つぎに、使い捨て食品容器１の利用方法について説明する。まず、図３に示すように、嵌合孔１１ｃと嵌合突起１２ｃとの嵌合状態を解いて使い捨て食品容器の上面を開放する。そして、容器部１１の一部を片手で下向きに押さえ、反対側の手で蓋部１２の一部を手前に引いて容器部１１と蓋部１２とに切離し、蓋部１２を構成する左右の取り皿１２ａの一方を前側、他方を後側に引っ張ってミシン目線１３ｂで切離し、図４に示すように、取り皿１２ａを切離する。最後に、取り皿１２ａに調味料やだし汁を入れ、これに容器部１１に収容されている食品を付けて食べる。
【００１６】
このように、使い捨て食品容器１からは、その蓋部１２をミシン目線１３ａ及び１３ｂで切離することによって、簡単に取り皿１２ａを得ることができる。そして取り皿１２ａは、蓋部１２から切離して使用するので使い勝手や見栄えもよく、使用するまでは蓋部１２の一部であるため、食品の収納スペースを減らすこともない。
【００１７】
なお、この考案の使い捨て食品容器は上記実施の形態に限定されるわけではなく、実用新案登録請求の範囲に記載された考案の技術的範囲内で様々な変更を加えることができる。
【００１８】
例えば、上記実施形態では、蓋部１２は取り皿１２ａを２つ有していたが、必要に応じてこれ以上の取り皿を有していてもよい。また、上記実施の形態における使い捨て食品容器１は、容器部１１と蓋部１２とが一体化され、嵌合孔１１ｃと嵌合突起１２ｃとを嵌合することによって閉鎖する使い捨て食品容器であったが、この他にも、例えば、容器部と蓋部とが別々に分かれており、容器部の上端に蓋部の下端を嵌め込むことによって閉鎖する使い捨て食品容器であってもよい。さらに、容器部１１及び蓋部１２は正面視断面略台形で平面視略長方形であったが、正面視が長方形であってもよく、平面視円形の使い捨て食品容器であってもよい。
【図面の簡単な説明】
【００１９】
【図１】使い捨て食品容器の閉じた状態を示す外観斜視図である。
【図２】使い捨て食品容器の開いた状態を内側から見た図である。
【図３】使い捨て食品容器から取り皿を切離する途中の過程を示す図である。
【図４】使い捨て食品容器から取り皿を切離した状態を示す図である。
【符号の説明】
【００２０】
１      使い捨て食品容器
１１    容器部
１２    蓋部
１２ａ  取り皿
１３ａ、１３ｂ  ミシン目状切離線
【図１】
0003108620.tif 000003
【図２】
0003108620.tif 000004
【図３】
0003108620.tif 000005
【図４】
0003108620.tif 000006